【手続補正書】
【提出日】平成25年12月9日(2013.12.9)
【手続補正１】
【補正対象書類名】特許請求の範囲
【補正対象項目名】全文
【補正方法】変更
【補正の内容】
【特許請求の範囲】
【請求項１】
交通網を規定するネットワークデータを記憶するネットワークデータ記憶手段と、
少なくとも出発地と目的地とを含む経路探索条件を満たす上記出発地から上記目的地までの経路である案内経路を、上記ネットワークデータ記憶手段に記憶された上記ネットワークデータを用いて探索し、案内経路データを少なくとも含む経路案内情報を生成する案内経路探索手段と、
利用者の現在位置情報を取得する現在位置情報取得手段と、
上記現在位置情報取得手段により取得された上記現在位置情報、および、上記案内経路探索手段により生成された上記経路案内情報の少なくとも一部を、出力部を介して出力して、経路案内を実行する経路案内手段と、
上記経路案内手段により実行される上記経路案内中に、上記現在位置情報取得手段が上記現在位置情報の取得を失敗した場合、当該現在位置情報の取得を失敗した地点である測位失敗地点の座標情報と上記目的地の座標情報とを少なくとも対応付けた測位失敗個所情報を生成する測位失敗個所情報生成手段と、
を備えたことを特徴とする、ナビゲーションシステム。
【請求項２】
請求項１に記載のナビゲーションシステムにおいて、
上記測位失敗個所情報生成手段は、
上記測位失敗地点から上記目的地までの所要時間を予測し、当該予測した所要時間を更に対応付けた上記測位失敗個所情報を生成すること、
を特徴とする、ナビゲーションシステム。
【請求項３】
請求項２に記載のナビゲーションシステムにおいて、
上記測位失敗個所情報生成手段は、
上記現在位置情報取得手段が上記現在位置情報の取得を失敗した時刻である測位失敗時刻から、上記経路案内手段により実行される上記経路案内が終了する時刻である案内終了時刻までの時間を、上記所要時間として予測すること、
を特徴とする、ナビゲーションシステム。
【請求項４】
請求項３に記載のナビゲーションシステムにおいて、
上記案内終了時刻は、電源がオフになるかまたは上記利用者の操作により、上記経路案内のアプリケーションが終了する時刻であること、
を特徴とする、ナビゲーションシステム。
【請求項５】
請求項２に記載のナビゲーションシステムにおいて、
上記測位失敗個所情報生成手段は、
上記測位失敗地点から上記目的地までの経路長に基づいて、上記所要時間を予測すること、
を特徴する、ナビゲーションシステム。
【請求項６】
請求項２に記載のナビゲーションシステムにおいて、
上記測位失敗個所情報生成手段は、
上記現在位置情報取得手段が上記現在位置情報の取得を失敗した時刻である測位失敗時刻から上記経路案内手段により実行される上記経路案内が終了する時刻である案内終了時刻までの時間に基づいて予測した第１予測所要時間と、上記測位失敗地点から上記目的地までの経路長に基づいて予測した第２予測所要時間と、を比較し、上記第１予測所要時間と上記第２予測所要時間との差が所定範囲内である場合、上記第１予測所要時間を上記所要時間とすること、
を特徴とする、ナビゲーションシステム。
【請求項７】
請求項１から６のうちいずれか一つに記載のナビゲーションシステムにおいて、
上記測位失敗個所情報生成手段により生成された上記測位失敗個所情報のうち、登録対象の測位失敗個所情報を特定する登録対象測位失敗個所情報特定手段と、
上記登録対象測位失敗個所情報特定手段により特定された上記登録対象の測位失敗個所情報を記憶部に登録する測位失敗個所情報登録手段と、
を更に備えたことを特徴とする、ナビゲーションシステム。
【請求項８】
請求項７に記載のナビゲーションシステムにおいて、
上記登録対象測位失敗個所情報特定手段は、
上記目的地から所定範囲内の地点の上記測位失敗個所情報を、上記登録対象の測位失敗個所情報として特定すること、
を特徴とする、ナビゲーションシステム。
【請求項９】
請求項７または８に記載にナビゲーションシステムにおいて、
上記登録対象測位失敗個所情報特定手段は、
上記現在位置情報取得手段による上記現在位置情報の取得が最後に途絶した途絶地点の上記測位失敗個所情報を、上記登録対象の測位失敗個所情報として特定すること、
を特徴とする、ナビゲーションシステム。
【請求項１０】
請求項７から９のうちいずれか一つに記載のナビゲーションシステムにおいて、
上記案内経路探索手段は、
上記測位失敗個所情報登録手段により上記記憶部に登録された上記測位失敗個所情報を参照して、上記案内経路探索手段により探索された上記案内経路上に、上記測位失敗個所情報の上記測位失敗地点に対応する地点が存在する場合は、上記経路案内に制限がある旨を通知する制限通知情報を更に含む上記経路案内情報を生成すること、
を特徴とする、ナビゲーションシステム。
【請求項１１】
請求項１０に記載のナビゲーションシステムにおいて、
上記制限通知情報は、上記目的地の再設定要求に関する情報であること、
を特徴とする、ナビゲーションシステム。
【請求項１２】
請求項１０または１１に記載のナビゲーションシステムにおいて、
上記制限通知情報は、上記途絶地点までの上記経路案内が可能である旨の情報であること、
を特徴とする、ナビゲーションシステム。
【請求項１３】
制御部と記憶部とを少なくとも備えたナビゲーションサーバ、および、制御部と出力部とを少なくとも備えた端末装置、を通信可能に接続したナビゲーションシステムであって、
上記ナビゲーションサーバの上記記憶部は、
交通網を規定するネットワークデータを記憶するネットワークデータ記憶手段、
を備え、
上記ナビゲーションサーバの上記制御部は、
上記端末装置から送信される少なくとも出発地と目的地とを含む経路探索条件を受信する経路探索条件受信手段と、
上記経路探索条件受信手段により受信された上記経路探索条件を満たす上記出発地から上記目的地までの経路である案内経路を、上記ネットワークデータ記憶手段に記憶された上記ネットワークデータを用いて探索し、案内経路データを少なくとも含む経路案内情報を生成する案内経路探索手段と、
上記案内経路探索手段により生成された上記経路案内情報を上記端末装置へ送信する経路案内情報送信手段と、
を備え、
上記端末装置の上記制御部は、
上記経路探索条件を上記ナビゲーションサーバへ送信する経路探索条件送信手段と、
上記ナビゲーションサーバから上記経路案内情報を受信する経路案内情報受信手段と、
上記端末装置の利用者の現在位置情報を取得する現在位置情報取得手段と、
上記現在位置情報取得手段により取得された上記現在位置情報、および、上記経路案内情報受信手段により受信された上記経路案内情報の少なくとも一部を、上記出力部を介して出力して、経路案内を実行する経路案内手段と、
上記経路案内手段により実行される上記経路案内中に、上記現在位置情報取得手段が上記現在位置情報の取得を失敗した場合、当該現在位置情報の取得を失敗した地点である測位失敗地点の座標情報と上記目的地の座標情報とを少なくとも対応付けた測位失敗個所情報を生成する測位失敗個所情報生成手段と、
を備えたことを特徴とする、ナビゲーションシステム。
【請求項１４】
出力部を少なくとも備えた端末装置に通信可能に接続された、制御部と記憶部とを少なくとも備えたナビゲーションサーバであって、
上記記憶部は、
交通網を規定するネットワークデータを記憶するネットワークデータ記憶手段、
を備え、
上記制御部は、
上記端末装置から送信される少なくとも出発地と目的地とを含む経路探索条件を受信する経路探索条件受信手段と、
上記経路探索条件受信手段により受信された上記経路探索条件を満たす上記出発地から上記目的地までの経路である案内経路を、上記ネットワークデータ記憶手段に記憶された上記ネットワークデータを用いて探索し、案内経路データを少なくとも含む経路案内情報を生成する案内経路探索手段と、
上記端末装置の利用者の現在位置情報を取得する現在位置情報取得手段と、
上記現在位置情報取得手段により取得された上記現在位置情報、および、上記案内経路探索手段により生成された上記経路案内情報の少なくとも一部に基づいて、経路案内画面を生成する経路案内画面生成手段と、
上記経路案内画面生成手段により生成された上記経路案内画面を上記端末装置へ送信して、当該経路案内画面の少なくとも一部を上記出力部を介して出力させて、経路案内を実行させる経路案内制御手段と、
上記経路案内制御手段により実行される上記経路案内中に、上記現在位置情報取得手段が上記現在位置情報の取得を失敗した場合、当該現在位置情報の取得を失敗した地点である測位失敗地点の座標情報と上記目的地の座標情報とを少なくとも対応付けた測位失敗個所情報を生成する測位失敗個所情報生成手段と、
を備えたことを特徴とする、ナビゲーションサーバ。
【請求項１５】
ナビゲーションシステムにおいて実行されるナビゲーション方法であって、
上記ナビゲーションシステムは、
交通網を規定するネットワークデータを記憶するネットワークデータ記憶手段と、案内経路探索手段と、現在位置情報取得手段と、経路案内手段と、測位失敗個所情報生成手段と、
を備え、
上記案内経路探索手段が、少なくとも出発地と目的地とを含む経路探索条件を満たす上記出発地から上記目的地までの経路である案内経路を、上記ネットワークデータ記憶手段に記憶された上記ネットワークデータを用いて探索し、案内経路データを少なくとも含む経路案内情報を生成する案内経路探索ステップと、
上記現在位置情報取得手段が、利用者の現在位置情報を取得する現在位置情報取得ステップと、
上記経路案内手段が、上記現在位置情報取得ステップにて取得された上記現在位置情報、および、上記案内経路探索ステップにて生成された上記経路案内情報の少なくとも一部を、出力部を介して出力して、経路案内を実行する経路案内ステップと、
上記測位失敗個所情報生成手段が、上記経路案内ステップにて実行される上記経路案内中に、上記現在位置情報取得ステップにて上記現在位置情報の取得を失敗した場合、当該現在位置情報の取得を失敗した地点である測位失敗地点の座標情報と上記目的地の座標情報とを少なくとも対応付けた測位失敗個所情報を生成する測位失敗個所情報生成ステップと、
を含むことを特徴とする、ナビゲーション方法。
【請求項１６】
ナビゲーションシステムを動作させるプログラムであって、
上記ナビゲーションシステムに、
少なくとも出発地と目的地とを含む経路探索条件を満たす上記出発地から上記目的地までの経路である案内経路を、ネットワークデータを用いて探索し、案内経路データを少なくとも含む経路案内情報を生成する案内経路探索機能と、
利用者の現在位置情報を取得する現在位置情報取得機能と、
上記現在位置情報、および、上記経路案内情報の少なくとも一部を、出力部を介して出力して、経路案内を実行する経路案内機能と、
上記経路案内中に、上記現在位置情報の取得を失敗した場合、当該現在位置情報の取得を失敗した地点である測位失敗地点の座標情報と上記目的地の座標情報とを少なくとも対応付けた測位失敗個所情報を生成する測位失敗個所情報生成機能と、
を実現させることを特徴とする、プログラム。
【手続補正２】
【補正対象書類名】明細書
【補正対象項目名】発明の名称
【補正方法】変更
【補正の内容】
【発明の名称】ナビゲーションシステム、ナビゲーションサーバ、ナビゲーション方法、および、プログラム
【手続補正３】
【補正対象書類名】明細書
【補正対象項目名】０００１
【補正方法】変更
【補正の内容】
【０００１】
本発明は、ナビゲーションシステム、ナビゲーションサーバ、ナビゲーション方法、および、プログラムに関する。